(57)【要約】【課題】簡易な構成で複数の周波数帯の信号を同時に受信可能な無線受信装置を提供する。【解決手段】無線受信装置は、高周波無線信号を受信するアンテナ部と、第１および第２の基準信号を生成する基準信号生成手段と、アンテナ部で受信した信号を、それぞれ前記第１および第２の基準信号を用いてベースバンド信号に周波数変換する第１および第２のダウンコンバータと、前記第１のダウンコンバータの出力から、所定の周波数帯を選択する第１のフィルタと、該第１のフィルタによって選択された信号をＡＭ復調またはＦＭ復調する第１の復調手段と、前記第２のダウンコンバータの出力から、所定の周波数帯を選択する第２のフィルタと、該第２のフィルタによって選択された信号をＡＭ復調またはＦＭ復調する第２の復調手段と、を備える。【選択図】図１
2010004145.tif 000002
【特許請求の範囲】
【請求項１】
無線信号を受信するアンテナ部と、
第１および第２の基準信号を生成する基準信号生成手段と、
アンテナ部で受信した信号を、それぞれ前記第１および第２の基準信号を用いてベースバンド信号に周波数変換する第１および第２のダウンコンバータと、
前記第１のダウンコンバータの出力から、所定の周波数帯を選択する第１のフィルタと、該第１のフィルタによって選択された信号をＡＭ復調またはＦＭ復調する第１の復調手段と、
前記第２のダウンコンバータの出力から、所定の周波数帯を選択する第２のフィルタと、該第２のフィルタによって選択された信号をＡＭ復調またはＦＭ復調する第２の復調手段と、
を備える無線受信装置。
【請求項２】
前記第１および第２の基準信号は、同一の周波数を有し、位相がπ／２だけ異なる信号である
ことを特徴とする請求項１に記載の無線受信装置。
【請求項３】
前記第１および第２のダウンコンバータの出力から、ＯＦＤＭ復調を行う第３の復調手段をさらに備える
ことを特徴とする請求項２に記載の無線受信装置。
【請求項４】
前記第１および第２のダウンコンバータの出力を、前記第１および第２の復調手段と第３の復調手段との間で切り替えるスイッチ手段をさらに備える
ことを特徴とする請求項３に記載の無線受信装置。
【請求項５】
前記基準信号生成手段は、周波数を調整可能な２つの局部発振器から構成される
ことを特徴とする請求項１に記載の無線受信装置。
【発明の詳細な説明】
【技術分野】
【０００１】
本発明は、無線受信装置に関し、特に、複数のチャンネルを同時に復調可能な無線受信装置に関する。
【背景技術】
【０００２】
地上デジタル放送では、ＯＦＤＭ（Orthogonal Frequency Division Multiplex: 直交
周波数分割多重）方式が採用されている。ＯＦＤＭ方式は、マルチキャリア変調方式であり、多数の直交した搬送波周波数を持つデジタル変調波を多重した信号を送信する方式である。
【０００３】
従来のＯＦＤＭ受信機の構成を図３を参照して説明する。アンテナ１０１で受信された受信信号は、増幅回路１０２で増幅された後に、乗算器１０５，１０６にそれぞれ与えられる。乗算器１０５には、局部発振器１０３から受信信号とほぼ同じ周波数の基準信号が供給される。乗算器１０５は、受信信号と基準信号を乗算してベースバンド信号を生成する。一方、乗算器１０６には位相変換器１０４によって局部発振器１０３からの基準信号の位相をずらした信号が供給され、乗算器はこれを用いて受信信号からベースバンド信号を生成する。乗算器１０５，１０６からの出力は、増幅回路１０７，１０８で増幅され、ローパスフィルタ１０９，１１０で低周波成分を取り出す。その後、アナログ・デジタル変換器１１１，１１２によってデジタル信号に変換した後、ＯＦＤＭ復調器１１３によってＦＦＴ処理等の復調処理を行う。
【０００４】
ＯＦＤＭ受信機の構成を説明したが、ＡＭ変調方式やＦＭ変調方式の信号を受信する場合は、復調する変調方式の数だけ周波数変換回路等が必要となる。そこで、特許文献１では、図３の構成において、局部発振器１０３の周波数帯域を広帯域化するとともに、復調器１１３の演算処理を変調方式に応じて変更可能とすることで、ＯＦＤＭ以外にＡＭやＦＭも受信可能とする受信機が開示されている。
【０００５】
ところで、１つの受信機で複数の変調方式を受信したいという要求以外に、複数の無線信号（変調方式は同じ場合も異なる場合もある）を同時に受信したいという要求も存在する。例えば、交通情報を放送するＶＩＣＳはＦＭ多重放送により情報を送信している。ＶＩＣＳは特定のＦＭチャンネルに多重化されているので、ＶＩＣＳを受信しているときにその他のＦＭ放送やＡＭ放送を受信するためには、複数のチャンネルを同時に受信できる必要がある。
【特許文献１】特開平９−７４３６６号公報
【発明の開示】
【発明が解決しようとする課題】
【０００６】
しかしながら、特許文献１のような従来技術の場合は、複数の変調方式の信号を復調可能であるものの、複数の信号を同時に復調することはできない。したがって、複数の放送を受信するためには、複数の受信機を利用する必要があり、コスト面で不利となる。
【０００７】
本発明は上記実情に鑑みてなされたものであって、その目的とするところは、簡易な構成で複数の周波数帯の信号を同時に受信可能な無線受信装置を提供することにある。
【課題を解決するための手段】
【０００８】
上記目的を達成するために本発明では、以下の手段または処理によって無線信号の復調を行う。
【０００９】
本発明は、無線信号を受信するアンテナ部と、２つの基準信号を生成する基準信号生成手段と、アンテナ部で受信した信号に各基準信号を適用してベースバンド信号に周波数変換する２つのダウンコンバータを有する。そして、ダウンコンバータの出力から所定の周波数帯を選択するフィルタと、フィルタによって選択された信号をＡＭ復調またはＦＭ復調する復調手段とを、各ダウンコンバータについて有している。
【００１０】
このようにすれば、ＦＭ変調方式およびＡＭ変調方式の無線信号のうち、任意の２つ周波数帯の無線信号を同時に復調することが可能となる。
【００１１】
本発明において、基準信号生成手段が生成する２つの基準信号を、同一の周波数を有し、位相がπ／２だけ異なる信号とすることが好適である。このような、２つの基準信号によるダウンコンバータは、従来のＯＦＤＭ方式の受信機と同様の構成であり、従来の部品を流用可能であるため、本発明に係る無線受信装置の製造が容易となる。
【００１２】
また、本発明は、２つのダウンコンバータの出力からＯＦＤＭ復調を行う復調手段をさらに有することが好適である。ここで、ダウンコンバータからの出力を、上記ＡＭおよびＦＭ復調を行う２つの復調手段に出力するか、ＯＦＤＭ復調を行う復調手段に出力するかを切り替えるスイッチ手段を、さらに有しても良い。また、スイッチ手段を備えずに、ダウンコンバータからの出力を複数の復調手段で受ける構成としても構わない。
【００１３】
このようにすれば、１つの無線受信装置で、ＡＭおよび／またはＦＭ放送の２チャンネル同時受信と、ＯＦＤＭ放送の受信とを行えるようになる。
【００１４】
また、本発明における基準信号生成手段は、周波数を独立して調整可能な２つの局部発振器として構成することも好適である。２つの周波数帯を同時に受信する場合に、その周波数に合わせて受信信号を周波数変換した方が、以降のフィルタリング処理等が容易になるためである。
【００１５】
なお、本発明は、上記手段の少なくとも一部を有する無線受信装置として捉えることができる。また、本発明は、上記処理の少なくとも一部を含む無線受信方法として捉えることもできる。上記手段および処理の各々は可能な限り互いに組み合わせて本発明を構成することができる。
【発明の効果】
【００１６】
本発明によれば、簡易な構成で複数の周波数帯の信号を同時に受信することが可能となる。
【発明を実施するための最良の形態】
【００１７】
以下に図面を参照して、この発明の好適な実施の形態を例示的に詳しく説明する。
【００１８】
（第１の実施形態）
第１の実施形態に係る無線受信機の構成を図１に示す。本受信機は、ＡＭ放送、ＦＭ放送、地上デジタル放送（ＯＦＤＭ放送）の３つの放送を受信可能であり、ＡＭ放送とＦＭ放送については２チャンネル同時に受信可能である。本受信機は、ＯＦＤＭ復調ではＩ信号、Ｑ信号の２つの信号が必要となるのに対し、ＡＭ復調やＦＭ復調ではＩ信号、Ｑ信号のいずれか一方だけを用いても復調可能である点に着目したものであり、Ｉ信号、Ｑ信号を個別に復調することで２チャンネルを同時に受信するものである。なお、２チャンネル同時受信には、ＡＭとＦＭ以外にも、ＡＭとＡＭ、ＦＭとＦＭの同時受信も含まれる。
【００１９】
図１に示すように、アンテナ１で受信された受信信号は、増幅回路２で増幅された後に、乗算器５，６にそれぞれ与えられる。乗算器５，６には局部発振器３から同一周波数の基準信号が供給されるが、これらの基準信号の位相は位相変換器４によって位相がπ／２だけずれている。乗算器５，６が基準信号を用いて受信信号を周波数変換し、増幅回路７，８で増幅した後に、ローパスフィルタ９，１０により低周波成分を取り出すことで、受信信号がベースバンド信号にダウンコンバートされる。
【００２０】
ダウンコンバートされたベースバンド信号は、スイッチ回路１８によって、その出力先が切り替えられる。一方は、２つのベースバンド信号を、それぞれ異なるＡＭ／ＦＭ復調器１３，１４に出力するものである。他方は、２つのベースバンド信号を１つのＯＦＤＭ復調器１７に出力するものである。
【００２１】
ＡＭ／ＦＭ復調する場合は、まずバンドパスフィルタ１１，１２により復調する周波数帯のみ透過し、ＡＭ／ＦＭ復調器１３，１４によって復調する。なお、ＡＭ復調とＦＭ復調は、復調器で行う処理（プログラム）を切り替えることによって切り替えればよい。
【００２２】
一方、ＯＦＤＭ復調する場合は、ベースバンド信号をアナログ・デジタル変換器１５，１６によってデジタル信号に変換した後、ＯＦＤＭ復調器１７によってＦＦＴ処理等の復調処理を行う。
【００２３】
なお、局部発振器３は、受信する放送に合わせて生成する基準信号の周波数を切り替える。例えば、地上デジタル放送を受信する場合は、受信するチャンネルに合わせた周波数の基準信号を生成すればよい。また、ＡＭ／ＦＭを２チャンネル同時に受信する場合には、基準信号の周波数として約５３０ｋＨｚを用い、ローパスフィルタ９，１０によりＡＭ〜ＦＭ（５３１ｋＨｚ〜９０または１０８ＭＨｚ）に対応する信号を透過させ、バンドパスフィルタ１１，１２により受信したい放送信号のみを復調器に出力する。ただし、広帯域を同時に受信する場合は、アンプやフィルタ等の設計が複雑になりうるので、同時受信可能な周波数帯域をＡＭ〜ＦＭのうちの一部としてもよい。
【００２４】
本実施形態に係る無線受信機によれば、従来のＯＦＤＭ受信機の構成に対して、ほとんどコストアップすることなくＡＭおよびＦＭ放送を同時に２チャンネル受信可能となる。
【００２５】
（第２の実施形態）
第２の実施形態に係る無線受信機の構成を図２に示す。本実施形態では、個別に周波数を設定可能な２つの局部発振器２１，２２から乗算器５，６に基準信号を供給する。ＡＭ／ＦＭを２チャンネル同時に受信する場合には、２つのＡＭ／ＦＭ復調器１３，１４で復調するチャンネルに合わせた周波数の基準信号を各局部発振器２１，２２が生成する。このようにすれば、ローパスフィルタ９，１０によって受信したいチャンネルのベースバンド信号のみ取り出し可能であるため、バンドパスフィルタが不要となる。また、第１の実施形態では広い帯域の受信信号をダウンコンバートしていたためアンプやフィルタ等の構成が複雑となりうるが、本実施形態では単一の周波数を取り出せばよいのでアンプやフィルタの構成が簡単なものとなる。
【００２６】
なお、地上デジタル放送を受信する場合には、局部発振器２１，２２が生成する基準信号を同一周波数で位相がπ／２だけずれたものとするか、第１の実施形態と同様に乗算器６へ供給される基準信号を局部発振器２１が生成する基準信号を位相変換器でπ／２だけずらしたものとすればよい。
【００２７】
本実施形態によれば、２チャンネル同時に受信する場合に、ＡＭ放送とＦＭ放送のように周波数帯が大きく異なる場合であっても、簡単に受信することができる。
【００２８】
（その他）
上記の実施形態では、地上デジタル放送の受信と、ＡＭ／ＦＭの２チャンネル同時受信とを切替可能な無線受信機を説明しているが、地上デジタル放送の受信機能を省略して、ＡＭ／ＦＭの２チャンネル同時受信機能のみを備えるようにしてもよい。
【００２９】
また、上記の説明では、スイッチ回路１８を設けて、ベースバンド信号の出力先を、ＡＭ／ＦＭ復調器１３，１４とＯＦＤＭ復調器１７のいずれにするかの切替を行っているが、スイッチ回路１８を設けずにベースバンド信号を常に全ての復調器に入力するようにしても良い。信号のＳＮ比はＲＦ段で決まるため、ベースバンド信号を複数の復調器に入力しても問題ないためである。
【００３０】
また、上記の説明ではダイレクトコンバージョン方式を例に説明しているが、スーパーへテロダイン方式など中間周波数を利用する方式を採用しても構わない。
【００３１】
また、上記の説明では受信信号をアナログ信号のまま処理する構成を説明しているが、受信信号をデジタル信号化し、デジタル信号に対して周波数変換等の処理を施しても構わない。
【図面の簡単な説明】
【００３２】
【図１】図１は、第１の実施形態に係る無線受信機の構成を示す図である。
【図２】図２は、第２の実施形態に係る無線受信機の構成を示す図である。
【図３】図３は、従来のＯＦＤＭ受信機の構成を示す図である。
【符号の説明】
【００３３】
１    アンテナ
３    局部発振器
４    位相変換器
５，６    乗算器
１３，１４    ＡＭ／ＦＭ復調器
１７    ＯＦＤＭ復調器
１８    スイッチ回路
２１，２２    局部発振器
【図１】
2010004145.tif 000003
【図２】
2010004145.tif 000004
【図３】
2010004145.tif 000005